(57)【要約】【課題】大半の陶芸教室は設置上の制約から釜の種類や数が限られており、会員の技能が向上して様々な作品を焼こうとしてもそれにふさわしい釜が見つけることが困難だった。【解決手段】会員の端末装置２から通信ネットワ−ク３を介して注文情報を受け付ける受付手段５と、注文情報に基づき空き釜情報から適切な釜を検索する空き釜検索手段６と、空き釜検索手段６の結果を会員に通知する。【選択図】　図１
2004013590.tif 000002
【特許請求の範囲】
【請求項１】
会員の端末装置から通信ネットワ−クを介して注文情報を受け付ける受付手段と、前記注文情報に基づき酸化焼成か還元焼成かを優先的して空き釜情報から適切な釜を検索する空き釜検索手段と、前記空き釜検索手段の結果を会員に通知する陶芸交信システム。
【請求項２】
受付手段を有する陶芸協会と、前記協会に加入した会員と、前記会員が所有する釜の仕様と使用情報を前記陶芸協会のホ−ムペ−ジに表示する請求項１記載の陶芸交信システム。
【請求項３】
陶芸協会のホ−ムペ−ジには他の陶芸協会と通信ネットワ−クを介してリンクし、他の陶芸協会の空き釜情報も掲示する請求項２記載の陶芸交信システム。
【請求項４】
陶芸協会のホ−ムペ−ジには、陶芸協会が認定した陶芸用の工具や備品の認定商品を掲載する請求項２〜３記載の陶芸交信システム。
【請求項５】
会員から陶芸協会のホ−ムペ−ジにアクセスされる情報の中から参照頻度の高い情報を抽出する情報抽出手段と、抽出情報を参考に改造認定商品を製作者に製作依頼する請求項２〜４項記載の陶芸交信システム。
【請求項６】
制作依頼した改造認定商品を陶芸協会のホ−ムペ−ジに掲載し、会員が端末装置から前記改造認定商品購入の注文情報を発信する請求項２〜５項記載の陶芸交信システム。
【請求項７】
会員の端末装置から通信ネットワ−クを介して人材派遣情報を受け付ける派遣受付手段と、陶芸の技能を有する技能者の技能者情報を登録する技能者登録手段と、前記人材派遣情報に基づき前記技能者情報から適切な技能者を検索する技能者検索手段と、前記技能者検索手段の結果を会員に通知する陶芸交信システム。
【請求項８】
技能者情報は、陶芸協会が認定した技能者の技能認定情報に基づく請求項７記載の陶芸交信システム。
【請求項９】
会員と選定された技能者が端末装置を通じて直接交信する請求項７〜８記載の陶芸交信システム。
【請求項１０】
請求項１〜９のいずれか１項記載の陶芸交信システムの手段の全てもしくは一部としてコンピュータを機能させるためのプログラム。
【発明の詳細な説明】
【０００１】
【発明の属する技術分野】
本発明は陶芸協会に加入した会員が、陶芸に関する様々な要求に応えるための情報ネットワ−クシステムに関するものである。
【０００２】
【従来の技術】
近年、ゆとりのある生活への要求の高まりや趣味の多様化、および高齢者を中心として老化予防のため身体を活動させる一手段として陶芸に取り組む人数が増加してきている。
【０００３】
一方、大半の陶芸教室は設置上の制約から釜の種類や数が限られており、会員の技能が向上して様々な作品を焼こうとしてもそれにふさわしい釜が見つからないのが実状である。即ち釜選定時には大きな要素として、作品の大きさ、粘土質や釉薬の違いによるによる釜温度、ガスや灯油さらには電気などの使用するエネルギ−、材質の締り状態による焼成時間、結晶粒の大きさに影響する冷却時間などを所望の風合いを実現させるように選ぶ際に適切な釜が容易に見つからないのが実情である。
【０００４】
また、陶芸教室では通う時間的、地理的な制約や、会員数が多くなると個人ごとの細かな要望に対して最適な指導者を当てるのは困難となる問題がある。更に目的の釜が見つかっても使用中であれば窯待ち状態となり、その間に作品が劣化したり、住居の中で大きなスペ−スを占有してしまうという問題があった。
【０００５】
【発明が解決しようとする課題】
本発明の目的は、これら会員のきめ細かな要求に対し、使用条件が最適で使いたい時に空いている釜情報を提供したり、必要な指導情報を得られるようにすることを課題とするものである。
【０００６】
【課題を解決するための手段】
本発明は上記課題を解決するために、会員の端末装置から通信ネットワ−クを介して注文情報を受け付ける受付手段と、前記注文情報に基づき空き釜情報から適切な釜を検索する空き釜検索手段と、前記空き釜検索手段の結果を会員に通知する陶芸交信システムである。
【０００７】
上記発明によれば、会員は自ら所有する釜だけでなく、端末装置により空き釜情報を入手し、多くの情報の中から適切な釜を選択することができ、陶芸作品の製作に大きな制約を受けることが無い陶芸交信システムを提供することができる。
【０００８】
【発明の実施の形態】
本発明は各請求項記載の形態で実施することができるものである。
【０００９】
すなわち、請求項１記載の発明のように、会員の端末装置から通信ネットワ−クを介して注文情報を受け付ける受付手段と、前記注文情報に基づき酸化焼成か還元焼成かを優先的して空き釜情報から適切な釜を検索する空き釜検索手段と、前記空き釜検索手段の結果を会員に通知するものである。
【００１０】
そして、会員は自ら所有する釜だけでなく、端末装置により空き釜情報を入手し、より適切な釜を選択することができ、作品の製作に大きな制約を受けることが無く自由な創作を楽しむことが出来る。
【００１１】
また、請求項２記載の発明のように受付手段を有する陶芸協会と、前記協会に加入した会員と、前記会員が所有する釜の仕様と使用情報を前記陶芸協会のホ−ムペ−ジに表示するものである。
【００１２】
そして、陶芸協会に加入した会員の釜仕様やその使用情報から自分の作品を焼く上で最も適した釜を短時間で簡単に検索することが出来る。
【００１３】
また、請求項３記載の発明のように、陶芸協会のホ−ムペ−ジには他の陶芸協会と通信ネットワ−クを介してリンクし、他の陶芸協会の空き釜情報も掲示するものである。
【００１４】
そして、他の陶芸協会の釜も利用できるようになるため情報量が多くなり、大きさや温度条件など木目細かな要望条件に対しても最適な条件の釜を見付けやすくすることが出来る。
【００１５】
また、請求項４記載の発明のように、陶芸協会のホ−ムペ−ジには、陶芸協会が認定した陶芸用の工具や備品の認定商品を掲載するものである。
【００１６】
そして、会員はホ−ムペ−ジから有用であると陶芸協会により認定された認定商品の情報も得ることができ、より効率的に作品を創作したり新たな作風の陶芸にも容易に試すことが出来、技能の幅を広げることが出来る。
【００１７】
また、請求項５記載の発明のように、会員から陶芸協会にアクセスされる情報の中から参照頻度の高い情報を抽出する情報抽出手段と、抽出情報を参考に改造認定商品を製作者に製作依頼するものである。
【００１８】
そして、情報抽出手段によって、会員が作業する上でニ−ズの大きな内容や、何が最も不具合かを的確に把握することができる。そしてその内容を分析し、その解決案を陶芸協会が製作者に指示して製造させるので、より多くの会員の実情に合った改造認定商品を提供することが出来る。
【００１９】
また、請求項６記載の発明のように、制作依頼した改造認定商品を陶芸協会のホ−ムペ−ジに掲載し、会員が端末装置から購入注文するものである。
【００２０】
そして、会員は陶芸活動の実情に適合した改造認定商品を端末装置から選定し簡単に購入できる。またこの改造認定商品を利用して継続的により独創的な作品を追及したり、より快適でかつレベルアップした陶芸活動ができる。
【００２１】
また、請求項７記載の発明のように、会員の端末装置から通信ネットワ−クを介して人材派遣情報を受け付ける派遣受付手段と、陶芸の技能を有する技能者の技能者情報を登録する技能者登録手段と、前記人材派遣情報に基づき前記技能者情報から適切な技能者を検索する技能者検索手段と、前記技能者検索手段の結果を会員に通知するものである。
【００２２】
そして、要望する陶芸の技能について適切な技能者を派遣要望に基づき技能者情報の中から簡単に選定出来るため、会員は効率良く適切な指導を受けることが出来、陶芸技術を効果的に向上させることができる。
【００２３】
また、請求項８記載の発明のように、技能者情報は、陶芸協会が認定した技能者の技能認定情報に基づくものである。
【００２４】
そして、技能者は陶芸協会の認める技能レベルを得て技能者認定情報に開示されるため、技能者の技能レベル向上の意欲を高めると共に、会員は技能者の派遣要望や指導要望を陶芸協会に信頼して依頼することができる。
【００２５】
また、請求項９記載の発明のように、会員と選定された技能者が端末装置を通じて直接交信するものである。
【００２６】
そして、会員の要望に基づき選定された技能者が双方向で会員と直接交信しあえるため、要望事項に対し詳細な指導が出来、派遣を含め短時間で効果的な指導をすることができる。
【００２７】
また、請求項１０記載の発明のように、請求項１〜９のいずれか１項記載の陶芸交信システムの手段の全てもしくは一部をコンピュータに実行させるためのプログラムである。
【００２８】
そして、プログラムであるので汎用コンピュータやサーバーを用いて本発明の陶芸交信システムの一部あるいは全てを容易に実現することができる。また記録媒体に記録したり通信回線を用いてプログラムを配信したりすることでプログラムの配布やインストール作業が簡単にできる。
【００２９】
【実施例】
以下、本発明の実施例について図面を用いて説明する。
【００３０】
（実施例１）
図１は本発明の第１の実施例である陶芸交信システムの概念図である。図１において、複数の会員１の有する端末装置２が、通信ネットワ−ク３を介して陶芸協会４の受付手段５と接続されている。受付手段５は空き釜検索手段６、および陶芸協会４が管理するホ−ムペ−ジ７に連結されている。また通信ネットワ−ク３を介して同様の他の陶芸協会８、９も接続されている。ここで１０、１１、及び１２はそれぞれ会員１や他の陶芸協会８、９が所有する窯業釜である。図２は空き釜検索手段６の検索機能の一例を示すデ−タで、通信ネットワ−ク３で集められた釜情報の仕様とその使用計画を示しホ−ムペ−ジ７に表示される。
【００３１】
このようなシステム構成における作用を図３のフロ−チャ−トに基づいて説明すると、まず会員１は端末装置２から通信ネットワ−ク３を介して陶芸協会４の受付手段５からホ−ムペ−ジ７に接続する（ステップ１００）。次に、会員１の端末装置２から作品の大きさ、粘土質や釉薬の違いによるによる釜温度、材質の締りによる焼成時間、酸化焼成か還元焼成か等の釜への要求仕様を伝達する（ステップ１０１）。酸化焼成か還元焼成を選定し、次に作品の大きさ、粘土質や釉薬の違いによるによる釜温度、材質の締り具合による焼成時間、結晶粒の大きさに影響する冷却時間、ガスや灯油及び電気など使用燃料などをその他の条件として釜を選定するためである。これに基づいて受付手段５から空き釜検索手段６を作動させ、他の会員１や他の陶芸協会８、９も含めた利用可能な釜情報を検索し、検索結果をホ−ムペ−ジ７に表示する（ステップ１０２）。もし所望の釜が見つかれば次に使用計画を調査し（ステップ１０３）、見つからなければ要望仕様を変更し再度検索する（ステップ１０４）。要望の日時に要望通りの釜が空いていれば使用要望を登録し、スケジュ−ルを確保する（ステップ１０５）。空いていなければ日時をずらせるか、場所の許容範囲を広げて再検索する（ステップ１０６）。
【００３２】
このように、会員１の端末装置２から簡単に他の会員１や他の陶芸協会８、９も含む広範囲の釜１０、１１、１２の仕様情報が検索できるため、会員１のよりきめ細かな要求にも答えられる可能性が高まり、会員１の創作意欲の向上と、釜の稼働率の向上を図ることが出来る。
【００３３】
なお、会員１は個人だけでなく、各種学校の一教材や、カルチャ−センタ−、老人ホ−ム等の団体でもよく、要は端末装置２を有しておれば何でもよいことは言うまでも無い。
【００３４】
（実施例２）
図４は図１をさらに発展させた陶芸交信システムの概念図である。なお、実施例１と同一構造のものは同一番号を付し、説明は省略する。
【００３５】
本実施例２において、実施例１と異なる点は陶芸協会４のホ−ムペ−ジ７には、陶芸協会４が認定した陶芸用の工具や備品の認定商品１３を掲載するものである。そして会員１から陶芸協会４のホ−ムペ−ジ７にアクセスされる情報の中から参照頻度の高い情報を抽出する情報抽出手段１４を設け、この情報を参考にして改造認定商品１５を製作者１６に製作依頼するようにしたものである。更に、会員は端末装置２によって改造認定商品１５を購入可能としたものである。
【００３６】
以上のように構成された陶芸交信システムについて、図５のフローチャートを用いて改造認定商品１５の注文を行なう手順を図４を参照して説明する。
【００３７】
まずまず多数の会員１はそれぞれの端末装置２から通信ネットワ−ク３を介して陶芸協会４のホ−ムペ−ジ７に接続する（ステップ２０１）。次に、会員１はホ−ムペ−ジ７上に掲載された認定商品１３を検索し、自分の陶芸活動に役立ちそうな工具や備品がないかを検索する（ステップ２０２）。陶芸協会４は情報抽出手段１４を作動させ、参照頻度の大きな認定商品１３を抽出する（ステップ２０３）。抽出された認定商品１３の参照頻度、参照目的、会員１の意見や要望などを分析する（ステップ２０４）。分析結果に基づき、より多くの会員１のニ−ズを満たすように、またより使い勝手が良くなるように改造設計する（ステップ２０５）。改造設計した仕様で製作者１６に製作を依頼する（ステップ２０６）。完成し納入されればホ−ムペ−ジ７で改造認定商品１５として会員１に紹介する（ステップ２０７）。陶芸活動を向上させるために必要と認め、購入を希望する会員１は端末装置２で注文情報を陶芸協会４に発信し（ステップ２０８）購入する。
【００３８】
このように本発明によれば、会員１はホ−ムペ−ジ７から有用であると陶芸協会４により認定された認定商品１３の情報も得ることができ、より効率的に作品を創作したり新たな作風の陶芸にも容易に試すことが出来、技能の幅を広げることが出来る。また、情報抽出手段１４によって、陶芸協会４は会員１が作業する上でニ−ズの大きな内容や、何が最も不具合かを的確に把握することができる。そしてその内容を分析し、その解決案を陶芸協会４が製作者１６に指示して製造させるので、より多くの会員１の活動の実情に合った改造認定商品１５を提供することが出来る。また会員１のニ−ズに基づいて改造認定商品１５が製作されるため、在庫が少なくて済み陶芸協会４の運営費はその分負担が軽くなる。更に、会員１は陶芸活動の実情に適合した改造認定商品１５を端末装置２から選定し簡単に購入することができる。またこの改造認定商品１５を利用して継続的により独創的な作品の追及や、より快適でかつレベルアップした陶芸活動ができる。
【００３９】
（実施例３）
図６及び図７は図１をさらに発展させた陶芸交信システムの概念図である。なお、実施例１と同一構造のものは同一番号を付し、説明は省略する。
【００４０】
本実施例３において、実施例１と異なる点は図６に示すように陶芸協会４の中に人材派遣情報を受け付ける派遣受付手段１７と、陶芸協会４が認定した技能者１８の技能者情報を登録する技能者登録手段１９と、人材派遣情報に基づき技能者情報から適切な技能者１８を検索する技能者検索手段２０を設けてある。また図７に示すように技能者１８の端末装置２１が通信ネットワ−ク３に接続されている。
【００４１】
以上のように構成された陶芸交信システムについて、図８のフローチャートを用いて陶芸の人材派遣を行なう手順を、図６及び図７を参照して説明する。
【００４２】
まず会員１は端末装置２から通信ネットワ−ク３を介して陶芸協会４の派遣受付手段１７からホ−ムペ−ジ７に接続する（ステップ３０１）。次に端末装置２から陶芸の指導要望に基づく人材派遣情報を派遣受付手段１７に送信する（ステップ３０２）。陶芸協会４が認定した専門技能とランクや住所など技能者１８の詳細なプロフィ−ルを登録してある技能者登録手段１９の中から、派遣受付手段１７からの要望情報に基づき技能者検索手段２０で検索し合致する技能者１８をホ−ムペ−ジ７上に表示する（ステップ３０３）。会員１は要望する指導が受けられる技能者１８が見つかるか調査する（ステップ３０４）。もし見つからなければ、派遣の要望内容を変更して再び検索する（ステップ３０５）。見つかった場合には、会員１が要望する日程と技能者１８の日程がマッチングするか調査する（ステップ３０６）。マッチしなければ、派遣要望日程計画を変更して再度検索する（ステップ３０７）。日程の調整までつけば陶芸協会４から選出された技能者１８に派遣要望情報を連絡する（ステップ３０８）。同時に陶芸協会４から会員１に技能者１８との直接交信を許諾し、会員１の端末装置２と技能者１８の端末装置２１で直接交信を開始する（ステップ３０９）。直接交信の結果、要望内容によって会員１が要望する場所まで派遣で出向き直接技能者１８から指導を受けることができる。
【００４３】
なお、直接交信の結果、派遣するまでもない場合にはインタ−ネットテレビなどを利用して通信教育に切り替えても良い。また、技能者１８は他の陶芸協会８に属する人であってもよく、この場合は更に多数の技能者１８の中から検索できるため、よりきめ細かで最適な指導を受けることが出来るようになる。
【００４４】
このように本発明の陶芸交信システムによれば、要望する陶芸の技能について適切な技能者１８を派遣要望に基づき技能者情報の中から簡単に選定出来るため、会員１は効率良く適切な指導を受けることが出来、陶芸技術を効果的に向上させることができる。また技能者１８は陶芸協会４の認める技能レベルを得て技能者認定情報に開示されるため、技能者１８の技能レベル向上の意欲を高めると共に、会員１は技能者１８の派遣要望や指導要望を陶芸協会４に信頼して依頼することができる。　そして、会員１の要望に基づき選定された技能者１８が双方向で会員１と直接交信しあえるため、要望事項に対し詳細な指導が出来、派遣を含め短時間で効果的な指導をすることができる。
【００４５】
なお、本実施例の形態に限らず、会員と、端末装置と、陶芸協会と、受付手段と、空き釜情報検索手段と、ホ−ムペ−ジと、他の陶芸協会と、認定商品と、情報抽出手段と、改造認定商品と、製作者と、派遣受付手段と、技能者と、技能者登録手段と、技能者検索手段とが、通信ネットワ−クで結ばれていればよい。
【００４６】
【発明の効果】
以上の説明から明らかなように本発明の陶芸交信システムによれば、会員は自ら所有する釜だけでなく、端末装置により空き釜情報を入手し、多くの情報の中から適切な釜を選択することができ、陶芸作品の製作に大きな制約を受けることが無い陶芸交信システムを提供することができる。
【図面の簡単な説明】
【図１】本発明の実施例１における陶芸交信システムの構成概念図
【図２】図１における陶芸交信システムの一部を示す機能ブロック図
【図３】本発明の実施例１における陶芸交信システムの動作を示すフローチャート
【図４】本発明の実施例２における陶芸交信システムの一部を示す構成概念図
【図５】本発明の実施例２における陶芸交信システムの動作を示すフローチャート
【図６】本発明の実施例３における陶芸交信システムの構成概念図
【図７】図６における陶芸交信システムの一部を示す機能ブロック図
【図８】本発明の実施例３における陶芸交信システムの動作を示すフローチャート
【符号の説明】
１　会員
２　端末装置
３　通信ネットワ−ク
４　陶芸協会
５　受付手段
６　空き釜検索手段
７　ホ−ムペ−ジ
８、９　他の陶芸協会
１３　認定商品
１４　情報抽出手段
１５　改造認定商品
１６　製作者
１７　派遣受付手段
１８　技能者
１９　技能者登録手段
２０　技能者検索手段
【図１】
2004013590.tif 000003
【図２】
2004013590.tif 000004
【図３】
2004013590.tif 000005
【図４】
2004013590.tif 000006
【図５】
2004013590.tif 000007
【図６】
2004013590.tif 000008
【図７】
2004013590.tif 000009
【図８】
2004013590.tif 000010